(57)【要約】【課題】空気調和機本体サイズを変えることなく基本性能を向上させること。【解決手段】室内機１の内部に熱交換器６とエアフィルター５とを搭載した空気調和機であって、前記室内機上面における投影面積に対して１／１０〜９／１０の面積を有する開口部１１を備えることによって、天面格子自体の幅長さによる総面積を少なくすることとなり、熱交換能力が制限されることが無いものであり、空気調和機本体の大きさを変えることなく、熱交換器の熱交換能力を大きくすることで、本体性能を向上させる空気調和機を提供できる。【選択図】図１
2008170122.tif 000002
【特許請求の範囲】
【請求項１】
室内機の内部に熱交換器とエアフィルターとを搭載した空気調和機であって、前記室内機上面における投影面積に対して１／１０〜９／１０の面積を有する開口部を備えたことを特徴とする空気調和機。
【請求項２】
開口部の大きさが室内機上面における投影面積に対して７／１０〜９／１０の面積を有することを特徴とする請求項１に記載の空気調和機。
【請求項３】
エアフィルターに沿って移動しそのエアフィルターに付着する塵埃を除去吸引する吸引ノズルを備え、開口部で形成される空間内で前記吸引ノズルの一部が移動することを特徴とする請求項２に記載の空気調和機。
【発明の詳細な説明】
【技術分野】
【０００１】
本発明は、室内機本体の大きさを変更することなく室内機本体の性能を向上させた空気調和機に関するものである。
【背景技術】
【０００２】
従来、特許文献１に示すように、空気調和機の室内機は、本体の前面に室内空気の吸入口が形成され、また、その吸入口の下側に吹出し口が形成されている。さらに、室内機の内部には逆Ｖ宇形状の熱交換器を設け、これに伴って室内機の本体の天面にも室内空気の吸入口が形成されている。そして、室内機の本体の天面に形成された吸入口には天面格子が形成されている。
【０００３】
また、特許文献２に示すように、空気調和機の室内機の本体の天面に形成された天面格子と熱交換器との間に、空気の塵埃を付着させるエアフィルターが配されている。そして、エアフィルターに付着した塵埃を吸引して除去する吸引ノズルがエアフィルターと天面格子との間に、エアフィルターに沿って移動自在に配されている。
【特許文献１】特開２００４−３４７２５５号公報
【特許文献２】特開２００６−１９４４８５号公報
【発明の開示】
【発明が解決しようとする課題】
【０００４】
しかしながら、前記特許文献１に示される従来の構成では、空気調和機の室内機の本体の天面に形成された天面格子は、多数の補強桟によって区切られた小さな開口部を複数個形成している。そのため天面格子自体の幅長さによる総面積が必要になり、前記空気調和機の内部に配置されている熱交換器における熱交換能力が制限されていた。ここで、熱交換器に対する空気の吸入量が多くなることにより熱交換能力が大きくなり空気調和機本体の性能を向上するものであるが、熱交換能力が制限されることとなる。さらに、前記特許文献２に示される従来の構成では、エアフィルターと天面格子との間に吸引ノズルが配されているため、室内機の本体の大きさを一定とすると、熱交換器の高さ方向の大きさが特許文献１に比較して更に制限されることとなる。ここで、熱交換器の大きさを大きくすることにより熱交換能力が大きくなり空気調和機本体の性能を向上するものであるが、熱交換器の高さ方向の大きさが制限されることとなり、熱交換能力が制限されることとなる。
【０００５】
そこで本発明は、空気調和機本体の大きさを変えることなく、空気調和機の本体性能を向上させる空気調和機を提供することを目的とする。
【課題を解決するための手段】
【０００６】
前記従来の課題を解決するために、本発明の空気調和機は、室内機の内部に熱交換器とエアフィルターとを搭載した空気調和機であって、前記室内機上面における投影面積に対して１／１０〜９／１０の面積を有する開口部を備えたものである。
【０００７】
これによって、室内機上面における投影面積に対して１／１０〜９／１０の面積を有する開口部を備えることによって、天面格子自体の幅長さによる総面積を少なくすることとなり、熱交換能力が制限されることが無いものである。
【発明の効果】
【０００８】
本発明によれば、空気調和機本体の大きさを変えることなく、熱交換器の熱交換能力を大きくすることで、本体性能を向上させる空気調和機を提供できる。
【発明を実施するための最良の形態】
【０００９】
第１の発明は、室内機の内部に熱交換器とエアフィルターとを搭載した空気調和機であって、前記室内機上面における投影面積に対して１／１０〜９／１０の面積を有する開ロ部を備えたことにより、天面格子自体の幅長さによる総面積を少なくすることとなり、熱交換能力が制限されることが無いものである。
【００１０】
第２の発明は、特に、第１の発明において、開口部の大きさが室内機上面における投影面積に対して７／１０〜９／１０の面積を有することにより、天面格子自体の幅長さによる総面積を更に少なくすることとなり、熱交換能力が制限されることが無いものである。
【００１１】
第３の発明は、特に、第２の発明において、エアフィルターに沿って移動しそのエアフィルターに付着する塵埃を除去吸引する吸引ノズルを備え、開口部で形成される空間内で前記吸引ノズルの一部が移動することにより、熱交換器の大きさが制限されること無く熱交換器を配置することが出来、しいては、熱交換能力が制限されることが無いものである。
【００１２】
以下、本発明の実施の形態について、図面を参照して説明する。なお、この実施の形態によって本発明が限定されるものではない。
【００１３】
（実施の形態１）
図１は、本発明の第１の実施の形態による空気調和機のほぼ中央部の断面図、図２は同空気調和機の上面図、図３は同空気調和機の上部から見た投影図、図４は同空気調和機の上部から見た投影図、図５は同空気調和機の開口部面積の変化における吸い込み空気流入量の変化を表した特性図である。
【００１４】
図１、図２に基づいて、本発明の実施の形態の基本的な構成を説明する。図１、図２において、空気調和機の室内機１は、その室内機１内部に、送風ファン７を中心に構成された送風ケーシング８を有し、送風ファン７の前方から上部および後方にかけて熱交換器６を構成し、その熱交換器６の前方から上部にかけてエアフィルター５を有し、前方に配されたエアフィルター５の前面側に吸入グリル３を構成している。また、前記熱交換器６の頂点部１３の上部に対応する室内機１上面に開口部１１が形成されている。従って、図２の上面図では、開口部１１を介してエアフィルター５が目視可能となっている。
【００１５】
以上のような構成において、開口部１１で形成される空間内に天面格子が無いため、天面格子自体の幅長さによる総面積を少なくすることとなり、熱交換器６の熱交換能力が制限されることが無いものである。
【００１６】
次に、開口部の具体的な構成について、図３ないし図５を用いて以下、説明する。
【００１７】
図３、図４において、開口部１１は室内機上面における投影面積１２の１／１０〜９／１０の面積を有する構成である。ここで、図３は開口部１１が室内機上面における投影面積１２に対して９／１０の面積、図４は開口部１１が室内機上面における投影面積１２に対して１／１０の面積を示すものである。なお、１０は、天面格子である。
【００１８】
図５は、横軸に開口部面積／室内機上面における投影面積を示し、縦軸に空気流入量を表している。図５において、開口部面積／室内機上面における投影面積が１／１０以上であると、空気流入量が増加することが解る。これは、天面格子１０の面積により空気流入量が影響されるものである。また、開口部面積／室内機上面における投影面積を３／１０以上とすることにより空気流入量が更に、増加することが解る。
【００１９】
以上の構成から、室内機上面における投影面積に対して１／１０〜９／１０の面積を有する開口部１１を備えたことにより、開ロ部１１を通過する空気の量が増え、熱交換器６の熱交換される空気量が増えることで、空気調和機の本体性能を向上させることができるものである。なお、開口部面積／室内機上面における投影面積が１／１０未満になると空気流入量が急に減り始めるため本体性能向上の安定化が図れなくなる。また、開口部面積／室内機上面における投影面積が９／１０を超えると室内機１の外郭部材の強度不足により室内機１の据付け状態において、室内機１が変形してしまう恐れが考えられるため、開口部面積／室内機上面における投影面積は９／１０を超えないほうがよい。
【００２０】
（実施の形態２）
図６は、本発明の第２の実施の形態による空気調和機の中央部の断面図、図７は同空気調和機の吸引ノズルの収納部の断面図、図８は同空気調和機の上面図及び正面図、図９は同空気調和機の右側面図である。
【００２１】
図６ないし図９において、前述の実施の形態１と同一の構成要素には同一符号を付与して説明を省略する。
【００２２】
前述の実施の形態１と異なるのは、エアフィルター５に沿って移動しそのエアフィルター５に付着する塵埃を除去吸引する吸引ノズル４を備えているとともに、吸引ノズル４をエアフィルター５と対向しない位置で吸引ノズル４を停止状態で収納する収納部２を備えている。また、開口部１１で形成される空間内で吸引ノズル４の一部である上部４ａが移動可能となっている。開ロ部１１の大きさは室内機上面における投影面積１２の７／１０〜９／１０の面積を有する構成である。
【００２３】
吸引ノズル４の構成は前述の特許文献２にも開示されているので、図示はしないが、吸引ノズル４のエアフィルター自動清掃構成について説明する。熱交換器を通過する空気の塵埃を除去するエアフィルター５は、フィルター枠に支持固定され、エアフィルター５の表面に沿って移動可能な吸引ノズル４が設けられる。吸引ノズル４はフィルター枠の上下端に設置されたガイドレールにより、エアフィルター５と極めて狭い間隙を保って円滑に左右に移動することができる。エアフィルター５上に付着した塵埃はこの吸引ノズル４より吸引される。さらに、吸引ノズル４には吸引ダクトが連結され、さらに吸引ダクトは吸引装置に連結される。吸引ダクトは吸引ノズルの移動に差し支えないように折り曲げ可能なダクトで形成される。さらに、吸引装置には排気ダクトが連結され、室外へ引き回される。吸引ノズル４により吸引されたエアフィルター５の塵埃は吸引ダクト、吸引装置、排気ダクトを経由して室外へ排出される。
【００２４】
以上のように構成された空気調和機の室内機１において、開口部１１で形成される空間内で吸引ノズル４の一部である上部４ａが移動可能となっているため、換言すれば、吸引ノズル４が移動する場所に天面格子がないため、室内機１の本体の大きさを一定とすると、熱交換器６の高さ方向の大きさが制限されることがなく熱交換器を配置することが出来、しいては、熱交換能力が制限されることがないものである。従って、本発明の実施の形態では、空気調和機本体の大きさを変えることなく、空気調和機の本体性能を向上させることが出来るものである。
【００２５】
また、吸引ノズル４を収納する収納部２の少なくとも一部２ａを空気調和機の室内機１の上面１ａ外周の稜線で囲われる面に対して突出させて構成することにより、突出させてできた空間を利用して吸引ノズル４の上部４ａを垂直方向に上げることができる。そのため吸引ノズル４の上部４ａの下部に位置するエアフィルター５の面を上げることが可能になり、空気調和機の室内機１の内部の熱交換器６を収納する空間を広げることができる。
このことにより熱交換器６のサイズを大きくすることができ、空気調和機の室内機１のサイズを変えることなく本体性能の向上を図ることができるものである。
【００２６】
さらに、吸引ノズル４を収納する収納部２を、収納部２の上面を一部２ａ突出させて形成し構成したもので、吸引ノズル４の上部４ａを直に収納部２で囲うことで収納部２の一部２ａの寸法を最小に押さえることができ、本体をコンパクトにまとめることができるものである。
【００２７】
さらに、収納部２の一部２ａを室内機１の上面１ａの稜線に対し室内機１の中央寄りに離れた位置に設けたもので、室内機１の上面１ａに対し独立した収納部２の一部２ａが形成でき、室内機１の大きさイメージを壊すことなく見映えが保てるものである。
【００２８】
さらに、室内機１の上面１ａの開口部１１で吸引ノズル４の左右駆動範囲Ａにおいて駆動中の吸引ノズル４が正面から目視できない位置に、吸入グリル３から壁３ａを設けたもので、エアフィルター５自動清掃時の室内機１の見映えを保つことができる。
【００２９】
さらに、熱交換器６の頂点部１３に対応する側をエアフィルター５及びエアフィルター用レール枠９で構成したもので、限られた本体１高さの中で最大長の熱交換器６を設けることができ、熱交換器６性能の向上を図ることができるものである。
【００３０】
上記実施の形態によれば、空気調和機本体１のサイズを変えることなく空気調和機１の本体性能の向上が実現できる。
【産業上の利用可能性】
【００３１】
本発明の空気調和機は、フィルター装置を搭載した他の空気調和機にも適用できる。
【図面の簡単な説明】
【００３２】
【図１】本発明の実施の形態１における空気調和機の断面図
【図２】同空気調和機の上面図
【図３】同空気調和機の上面からの投影図
【図４】同空気調和機の上面からの投影図
【図５】同空気調和機の開口部面積の変化における吸い込み空気流入量の変化を表す特性図
【図６】本発明の実施の形態２における空気調和機の図８のＢ−Ｂ線による断面図
【図７】同空気調和機の図８のＣ−Ｃ線による断面図
【図８】同空気調和機の上面図及び正面図
【図９】同空気調和機の右側面図
【符号の説明】
【００３３】
１  室内機
１ａ  上面
２  収納部
２ａ  一部
３  吸入グリル
３ａ  壁
４  吸引ノズル
４ａ  上部
５  エアフィルター
６  熟交換器
７  送風ファン
８  送風ケーシング
９  エアフィルター用レール枠
１０  天面格子
１１  開ロ部
１２  投影面積
１３  頂点部
【図１】
2008170122.tif 000003
【図２】
2008170122.tif 000004
【図３】
2008170122.tif 000005
【図４】
2008170122.tif 000006
【図５】
2008170122.tif 000007
【図６】
2008170122.tif 000008
【図７】
2008170122.tif 000009
【図８】
2008170122.tif 000010
【図９】
2008170122.tif 000011